(57)【要約】【課題】メンテナンスを容易に行い、かつ、修正・調整等やメンテナンスに掛かる費用を削減する。【解決手段】表示器（１）は、表示パネル（３０）と、表示パネル（３０）の前面に配置されるタッチパネル（１０）と、表示パネル（３０）及びタッチパネル（１０）を保持するベース部（２０）と、ベース部（２０）が固定される筐体（６０）と、を備え、ベース部（２０）は、筐体（６０）の背面側から挿入されたネジが締め付けられることによって筐体（６０）の前面側に固定されていることを特徴とする。【選択図】図１
2018097149.tif 000002
【特許請求の範囲】
【請求項１】
表示パネルと、
前記表示パネルの前面に配置されるタッチパネルと、
前記表示パネル及びタッチパネルを保持するベース部と、
前記ベース部が固定される筐体と、を備え、
前記ベース部は、前記筐体の背面側から挿入されたネジが締め付けられることによって前記筐体の前面側に固定されていることを特徴とする表示器。
【請求項２】
前記ベース部は、前記表示パネルの周囲を取り囲むように輪形状に形成されており、前方を向いた前面部と、当該前面部と連続して設けられて前記筐体の背面側に伸びる側面部とを有していることを特徴とする請求項１に記載の表示器。
【請求項３】
前記筐体は、前記ネジが貫通する貫通穴が形成されたネジ保持部を有し、
前記ネジ保持部は、前記ベース部の側に突出する突出端部を有していることを特徴とする請求項１または２に記載の表示器。
【請求項４】
前記筐体には、前記筐体の内側に設けられた側壁部よりも外側に、前記ネジが貫通する貫通穴の一部が形成されていることを特徴とする請求項１または２に記載の表示器。
【請求項５】
前記ベース部は、前記ネジが締め付けられるネジ穴と、前記筐体の側に突出する突出部とを有し、
前記ネジ穴は、前記突出部の内部に延長して形成されていることを特徴とする請求項２から４のいずれか１項に記載の表示器。
【請求項６】
前記ベース部と前記筐体との間には、弾性を有するガスケットが設けられていることを特徴とする請求項２から５のいずれか１項に記載の表示器。
【請求項７】
前記筐体は、前記ベース部が固定されるフランジ部を有し、
前記フランジ部の外周には、前記表示器の前方に伸びる外周壁部が形成されており、
前記ガスケットは、前記外周壁部と前記タッチパネルの外端との間に配置される外周凸部と内周凸部とを有することを特徴とする請求項６に記載の表示器。
【請求項８】
前記タッチパネルは、前記ベース部の前面よりも後方に配置されており、
前記筐体は、前記ベース部が固定されるフランジ部を有し、
前記フランジ部の外周には、前記表示器の前方に伸びる外周壁部が形成されており、
前記ガスケットは、前記外周壁部と前記ベース部の外端との間に配置される外周凸部と内周凸部とを有することを特徴とする請求項６に記載の表示器。
【請求項９】
前記ガスケットは、前記ベース部に接するベース側凸部と、前記筐体に接する筐体側凸部と、前記ベース側凸部が入り込むベース側溝部と、前記筐体側凸部が入り込む筐体側溝部とを有することを特徴とする請求項６から８のいずれか１項に記載の表示器。
【発明の詳細な説明】
【技術分野】
【０００１】
本発明はメンテナンス性に優れた表示器に関するものである。
【背景技術】
【０００２】
プログラマブル表示器のような表示器は、低コスト化や組み立て作業の負担の軽減を図るための改良がなされている。例えば、特許文献１では、表示パネルを含む本体が樹脂筐体の中に収容され、本体の前面側から筐体にネジを締め付けることで樹脂筐体に本体を固定し、樹脂筐体の開口部を塞ぐように樹脂筐体にカバーシートを固着させる構造を有するプログラマブル表示器が開示されている。これにより、筐体のネジ数及びネジ締め工数を削減することができるため、低コスト化や作業負担軽減を図ることができる。
【先行技術文献】
【特許文献】
【０００３】
【特許文献１】特開２０１４−１７８８６９号公報（２０１４年９月２５日公開）
【発明の概要】
【発明が解決しようとする課題】
【０００４】
上述のような従来技術は、本体の前面側からネジを締め付けることで、本体が樹脂筐体と固定される。このため、プログラマブル表示器の組み立て作業時に生じた不備（結線の間違い、基板の不良、またはコネクタの差込忘れ）の修正、調整等（以下、修正・調整等と称する）や、メンテナンスを行うときは、本体の前面に接着されているカバーシートをはがす必要がある。したがって、修正・調整等やメンテナンスに手間が掛かるという問題がある。また、修正・調整等やメンテナンスの完了後に、新たなカバーシートを樹脂筐体に固着させる必要があるため、修正・調整等やメンテナンス等を行う度にカバーシートを用意する費用が掛かるという問題がある。
【０００５】
本発明の一態様は、メンテナンスを容易に行い、かつ、修正・調整等やメンテナンスに掛かる費用を削減することを目的とする。
【課題を解決するための手段】
【０００６】
上記の課題を解決するために、本発明の一態様に係る表示器は、表示パネルと、前記表示パネルの前面に配置されるタッチパネルと、前記表示パネル及びタッチパネルを保持するベース部と、前記ベース部が固定される筐体と、を備え、前記ベース部は、前記筐体の背面側から挿入されたネジが締め付けられることによって前記筐体の前面側に固定されていることを特徴とする。
【０００７】
上記の構成によれば、ベース部は、筐体の背面側から挿入されたネジが締め付けられることによって筐体の前面側に固定されている。このため、タッチパネルの前面にカバーシートが貼り付けられている場合、表示器のメンテナンスを行うとき、ネジをベース部から取り外すことにより、タッチパネルからカバーシートをはがすことなく、筐体からベース部を取り外すことができる。よって、ネジを外すだけで表示器の内部のメンテナンスが可能になるため、表示器のメンテナンスが容易になる。さらに、カバーシートをはがさずに済むため、メンテナンスや製造工程のやり直し等により、新たなカバーシートを用意することによる費用が不要になる。したがって、表示器のメンテナンスコスト（カバーシートの廃棄に掛かるコスト）の削減、及び高いメンテナンス性の実現により、表示器が長期に亘って使用されることを可能にすることができる。
【０００８】
前記ベース部は、前記表示パネルの周囲を取り囲むように輪形状に形成されており、前方を向いた前面部と、当該前面部と連続して設けられて前記筐体の背面側に伸びる側面部とを有していてもよい。
【０００９】
上記の構成によれば、前面部及び側面部のそれぞれの面に別々の部品を取り付けることが可能になる。また、ベース部が、それぞれ異なる方向を向く面を有することから、個々の面を個別に設ける場合に比べて、表示器の部品点数を減らすことができる。また、ベース部は、それぞれ異なる方向を向く面を有するため、２つの部品により形成されている場合と比べて、強度が大きくなる。
【００１０】
前記筐体は、前記ネジが貫通する貫通穴が形成されたネジ保持部を有し、前記ネジ保持部は、前記ベース部の側に突出する突出端部を有していてもよい。
【００１１】
上記の構成によれば、ネジ保持部が突出端部を有しているため、ネジを締めていくときに突出端部がベース部に当たることでネジの締め過ぎによるタッチパネルやベース部の変形または破損を防ぐことができる。また、ベース部から筐体に向かう方向においてベース部が適切な位置に配置される。
【００１２】
前記筐体には、前記筐体の内側に設けられた側壁部よりも外側に、前記ネジが貫通する貫通穴の一部が形成されていてもよい。
【００１３】
上記の構成によれば、ネジが通る領域の一部が側壁部よりも外側にもあることになり、ネジが通る領域が側壁部よりも内側に突出する大きさを小さくすることができる。これにより、筐体の内側の領域を広く確保することができるため、電子部品等の格納物が格納される筐体内部の容積を大きくすることができる。したがって、その容積の拡大分に応じて、筐体の外形サイズを変えることなく、より大きな格納物を筐体の内部に格納することができる。また、格納物をより大きくする必要がない場合は、上記の容積の拡大分に応じて上記の容積を小さくすることにより、筐体の外形サイズをより小さくすることができる。
【００１４】
前記ベース部は、前記ネジが締め付けられるネジ穴と、前記筐体の側に突出する突出部とを有し、前記ネジ穴は、前記突出部の内部に延長して形成されていてもよい。
【００１５】
上記の構成によれば、タッチパネルが接するベース部のタッチパネル側に突出部を設ける必要がない。このため、ベース部におけるタッチパネルの貼り付け面の平滑性を保つことができる。また、ネジ穴が突出部の内部に延長して形成されているため、ネジ穴の長さが長くなり、ベース部と筐体とを頑丈に固定することができる。これにより、ネジの締結力を高めるためのナットなどの別部材が不要になるため、コストダウンを実現することができる。
【００１６】
前記ベース部と前記筐体との間には、弾性を有するガスケットが設けられていてもよい。
【００１７】
上記の構成によれば、外部からの振動や衝撃に対してタッチパネルを保護することができる。よって、外部から振動や衝撃が与えられたときにタッチパネルの破損を防ぐことができる。
【００１８】
前記筐体は、前記ベース部が固定されるフランジ部を有し、前記フランジ部の外周には、前記表示器の前方に伸びる外周壁部が形成されており、前記ガスケットは、前記外周壁部と前記タッチパネルの外端との間に配置される外周凸部と内周凸部とを有してもよい。
【００１９】
上記の構成によれば、ガスケットは、外周壁部とタッチパネルの外端との間に外周凸部と内周凸部とを有するため、外周凸部及び内周凸部による反発力により、タッチパネルは中心にガイドされる。これにより、タッチパネルを、ベース部を介して筐体に取り付けるときに、タッチパネルを筐体の中心に配置することができる。したがって、表示器の意匠性を高めることができる。また、外周凸部及び内周凸部による反発力、並びに外周凸部及び内周凸部がベース部及び筐体に線または面で接触することにより、ベース部とガスケットとの間、及び筐体とガスケットとの間の密着性が高まる。よって、表示器の防水性能が高まる。
【００２０】
前記タッチパネルは、前記ベース部の前面よりも後方に配置されており、前記筐体は、前記ベース部が固定されるフランジ部を有し、前記フランジ部の外周には、前記表示器の前方に伸びる外周壁部が形成されており、前記ガスケットは、前記外周壁部と前記ベース部の外端との間に配置される外周凸部と内周凸部とを有してもよい。
【００２１】
上記の構成によれば、ガスケットは、外周壁部とベース部の外端との間に外周凸部と内周凸部とを有するため、外周凸部及び内周凸部による反発力により、タッチパネルは中心にガイドされる。これにより、ベース部を筐体に取り付けるときに、ベース部を筐体の中心に配置することができる。したがって、表示器の意匠性を高めることができる。また、外周凸部及び内周凸部による反発力、並びに外周凸部及び内周凸部のベース部及び筐体に線または面で接触することにより、ベース部とガスケットとの間、及び筐体とガスケットとの間の密着性が高まる。よって、表示器の防水性能が高まる。
【００２２】
また、筐体の前面側から背面側に向かう方向において、タッチパネルとベース部とが重ならない。よって、表示器の厚みを小さくすることができる。
【００２３】
前記ガスケットは、前記ベース部に接するベース側凸部と、前記筐体に接する筐体側凸部と、前記ベース側凸部が入り込むベース側溝部と、前記筐体側凸部が入り込む筐体側溝部とを有してもよい。
【００２４】
上記の構成によれば、ベース部と筐体とを固定させたとき、ベース側凸部がベース側溝部に入り込み、筐体側凸部が筐体側溝部に入り込む。これにより、ベース側凸部及び筐体側凸部によって、ベース部及び筐体に過剰な反発力が加わることを防ぐ。よって、ベース部とガスケットとの間、及び筐体とガスケットとの間に生じる過剰な反発力を抑えることができる。したがって、タッチパネル、ベース部及び筐体が変形すること、または破損することを防ぐことができる。また、ベース側凸部及び筐体側凸部による反発力、並びにベース側凸部の先端がベース部に、筐体側凸部の先端が筐体に線で接触することにより、ベース部とガスケットとの間、及び筐体とガスケットとの間の密着性が高まる。よって、表示器の防水性能が高まる。
【発明の効果】
【００２５】
本発明の一態様によれば、メンテナンスを容易に行い、かつ、修正・調整等やメンテナンスに掛かる費用を削減することができるという効果を奏する。
【図面の簡単な説明】
【００２６】
【図１】本発明の実施形態１に係る表示器の構造を示す分解斜視図である。
【図２】上記表示器の筐体の前面側の構造を示す平面図である。
【図３】上記筐体の前面側の一部を拡大して示す斜視図である。
【図４】上記筐体の背面側の構造を示す平面図である。
【図５】上記筐体の背面側の一部を拡大して示す斜視図である。
【図６】図２に示す筐体の貫通穴付近の構造を示す断面図である。
【図７】タッチパネル及びベース部の構造を示す断面図である。
【図８】ガスケットの構造を示す断面図である。
【図９】ベース部と筐体との組み立てを示す図であり、（ａ）はベース部とガスケットと筐体とが組み合わされる前の状態を示す断面図であり、（ｂ）はベース部にガスケットが取り付けられている状態を示す断面図であり、（ｃ）は筐体にガスケットを介してベース部が取り付けられている状態を示す断面図である。
【図１０】本発明の実施形態２に係る表示器のベース部と筐体との間の構造を示す断面図である。
【発明を実施するための形態】
【００２７】
〔実施形態１〕
以下、本発明の実施の形態について、図１〜図９に基づいて詳細に説明する。
【００２８】
（表示器の構造）
まず、表示器１の構造について、図１に基づいて説明する。図１は、本発明の実施形態１に係る表示器１の分解斜視図である。電子機器としての表示器１は、図１に示すように、タッチパネル１０、ベース部２０、表示パネル３０、ガスケット４０、基板５０、及び筐体６０を備えている。表示器１は、ユーザが作成した画像を表示パネル３０に表示し、かつタッチパネル１０によりユーザの操作を受け付けることで、特有の表示機能及び操作機能を実現する専用コンピュータであり、ＨＭＩ（Human Machine Interface）機器として好適に使用される。なお、電子機器としては、上記の表示器１に限定されず、産業用コンピュータといった、表示パネルが設けられた装置であれば適用可能である。
【００２９】
タッチパネル１０は、ユーザのタッチ入力を受け入れる入力装置であり、タッチパネル１０としては、静電容量方式のタッチパネル（Projected Capacitive方式、Surface Capacitive方式などのタッチパネル）が好適に用いられる。このタッチパネル１０は、表示器１の前面に配置されている。また、タッチパネル１０は、表示パネル３０の前面に配置されている。
【００３０】
ベース部２０は、タッチパネル１０を筐体６０に取り付けるためにタッチパネル１０を保持する方形のフレーム状の部材である。ベース部２０は、その前面にタッチパネル１０が貼り付けられた状態で、筐体６０に固定されている。
【００３１】
表示パネル３０は、平板型の表示部品であり、液晶表示パネル、ＥＬ（Electro-Luminescence）表示パネル等によって構成されている。また、表示パネル３０は、タッチパネル１０を介して外部に画面を表示させるためのものである。表示パネル３０は、ベース部２０に固定され、タッチパネル１０と共に筐体６０内に格納されている。
【００３２】
ガスケット４０は、ベース部２０と筐体６０との間に設けられている。ガスケット４０は方形をなしており、ベース部２０と筐体６０との間の隙間をシールする部材である。また、ガスケット４０は、ゴム等の弾性材料で構成されている。これにより、外部からの振動や衝撃に対してタッチパネル１０を保護することができる。よって、外部から振動や衝撃が与えられたときにタッチパネル１０の破損を防ぐことができる。
【００３３】
基板５０は、筐体６０の後述する本体部６００における内壁面に固定され、表示パネル３０の背面側に配置される。基板５０は、表示器１の各部を制御する各種の回路、電源回路、インターフェース回路などが実装されている。
【００３４】
筐体６０は、表示パネル３０及び基板５０を格納する箱状の部材である。また、筐体６０には、後述するネジ６４０により、ベース部２０が固定される。
【００３５】
なお、以降の説明では、筐体６０からタッチパネル１０に向かう方向を前方と称し、タッチパネル１０から筐体６０に向かう方向を後方と称する。
【００３６】
（筐体の構造）
次に筐体６０の構造について、図２〜図６に基づいて説明する。
【００３７】
図２は、筐体６０の前面側の構造を示す平面図である。図３は、筐体６０の前面側の一部を拡大して示す斜視図である。図４は、筐体６０の背面側の構造を示す平面図である。図５は、筐体６０の背面側の一部を拡大して示す斜視図である。図６は、筐体６０の貫通穴６２０付近の構造を示す断面図である。
【００３８】
筐体６０は、図１に示すように、本体部６００、及びフランジ部６５０を備えている。
【００３９】
本体部６００は、前面側が開放された箱状に形成された部分である。図２〜図５に示すように、本体部６００の内側には、凹部６１０が形成されている。
【００４０】
凹部６１０は、表示パネル３０及び基板５０を格納するために設けられている。凹部６１０は、図２に示すように、前面側に対して奥に位置する奥壁面６１１と、奥壁面６１１の周囲に形成された側壁部６１２とで構成されている。
【００４１】
側壁部６１２には、所定の間隔をおいて複数のネジ保持部６３０が設けられている。ネジ保持部６３０は、奥壁面６１１から凹部６１０の開口端部に亘って側壁部６１２から突出するように形成されている。また、ネジ保持部６３０は、円筒をその中心軸に沿って切断したような形状に形成されている。なお、ネジ保持部６３０の形状は、この形状には限定されず、例えば、直方体の形状であってもよい。図３に示すように、ネジ保持部６３０は、フランジ部６５０よりも前面側に突出する突出端部６３１を有している。なお、突出端部６３１の形状は、図３では半円の中心部が除かれた、Ｃ字に似た形状になっているが、この形状には限定されない。例えば、突出端部６３１の形状は、ネジ保持部６３０の形状を直方体とした場合、方形の一部が除かれたようなコ字形状であってもよい。
【００４２】
ここで、図２に示す例では、ネジ保持部６３０は１４個設けられている。貫通穴６２０の個数は、筐体６０の大きさによって決定されるものであり、１４個に限定されない。
【００４３】
ネジ保持部６３０の内部には、貫通穴６２０が形成されている。ただし、図３に示すように、貫通穴６２０は、ネジ保持部６３０の内部及びフランジ部６５０に跨がって形成されている。貫通穴６２０は、ネジ保持部６３０の中心軸方向に沿って筐体６０の前面側と背面側との間で貫通するように形成されている。
【００４４】
フランジ部６５０は、本体部６００の開口部分の周囲にガスケット４０を配置するために設けられた部分であり、外縁部６６０と、外周壁部６７０とを有している。図３に示すように、外縁部６６０は、凹部６１０の奥壁面６１１を筐体６０の外部に仮想的に拡張した平面と平行であり、凹部６１０の側壁部６１２との境界となる角部６１３から筐体６０の外部に向かって延伸している。外縁部６６０には、ガスケット４０が配置されるために十分な幅が確保されている。外周壁部６７０は、フランジ部６５０の外周に設けられており、外縁部６６０の外周端部から筐体６０の前面側及び背面側に延伸している。
【００４５】
ところで、上述したネジ保持部６３０の突出端部６３１が、貫通穴６２０の周囲においてフランジ部６５０の外縁部６６０にも形成されていれば、フランジ部６５０にガスケット４０を配置するとき、ガスケット４０が突出端部６３１に当たってしまい、ガスケット４０をフランジ部６５０に密着するように配置することが困難になる。また、外縁部６６０上のネジ保持部６３０を回避してガスケット４０をフランジ部６５０に配置することを容易にするために、外縁部６６０の面積を広くすると、筐体６０のサイズが大きくなる。そこで、ネジ保持部６３０を外縁部６６０と重ならない部分のみに形成することで、筐体６０のサイズを大きくすることなく、ガスケット４０をフランジ部６５０に容易に配置することができる。
【００４６】
また、貫通穴６２０は、その大部分が側壁部６１２よりも内側に形成されるが、その一部が側壁部６１２よりも外側に形成されることにより、ネジ６４０が通る領域の一部が側壁部６１２よりも外側にもあることになり、ネジ６４０が通る領域が側壁部６１２よりも内側に突出する大きさを小さくすることができる。これにより、ネジ保持部６３０が側壁部６１２から突出する大きさを小さくすることができる。それゆえ、筐体６０の凹部６１０を広く確保することができるため、表示パネル３０、基板５０等の格納物が格納される凹部６１０の容積を大きくすることができる。したがって、その容積の拡大分に応じて、筐体６０の外形サイズを変えることなく、より大きな格納物を凹部６１０に格納することができる。また、格納物をより大きくする必要がない場合は、上記の容積の拡大分に応じて、凹部６１０の容積を小さくすれば、筐体６０の外形サイズをより小さくすることができる。つまり、同一のサイズの格納物を格納する場合において、筐体６０の外形サイズを小さくすることができる。
【００４７】
なお、ネジ保持部６３０が形成される範囲は、フランジ部６５０にガスケット４０を容易に配置できるような範囲であれば、特に限定されない。
【００４８】
ネジ６４０は、図４及び図６に示すように、ネジ保持部６３０に形成された貫通穴６２０に挿入されている。ネジ６４０は貫通穴６２０に、筐体６０の背面から前面に向かう方向に挿入されることで、ネジ６４０の先端は、貫通穴６２０の筐体６０の前面側の開口から突出する。
【００４９】
本体部６００の外側の側壁面には、側面凹部６８０が設けられている。側面凹部６８０は、図５に示すように、本体部６００の背面側からフランジ部６５０の背面側に亘って形成されている。貫通穴６２０は、側面凹部６８０において開口している。
【００５０】
（タッチパネル及びベース部の構造）
次に、タッチパネル１０及びベース部２０の構造について、図７に基づいて説明する。図７は、タッチパネル１０及びベース部２０の構造を示す断面図である。
【００５１】
ベース部２０は、図７に示すように、前面部２３０、側面部２４０及び接続部２５０を有する。ベース部２０は、本体部６００の開口部における角部６１３に沿うように、全体の形状が輪形状となり、かつ、断面の形状がＬ字型になるように折り曲げて形成されている。また、ベース部２０は、表示パネル３０の周囲を取り囲んでいる。前面部２３０は、側面部２４０に対して垂直に形成されており、フランジ部６５０の外縁部６６０に沿うように形成されている。側面部２４０は、本体部６００の側壁部６１２の内面に沿い、かつ、表示パネル３０の側面と対向するように形成されている。また、側面部２４０は、前面部２３０と連続して設けられて筐体６０の背面側に伸びている。
【００５２】
このような前面部２３０の構造により、前面部２３０及び側面部２４０のそれぞれの面に別々の部品を取り付けることが可能になる。また、ベース部２０が、それぞれ異なる方向を向く面を有することから、個々の面を個別に設ける場合に比べて、表示器１の部品点数を減らすことができる。また、ベース部２０は、それぞれ異なる方向を向く面を有するため、２つの部品により形成されている場合と比べて、強度が大きくなる。
【００５３】
タッチパネル１０は、ベース部２０の前面部２３０に両面テープ１１０によって接着されることにより、ベース部２０に固定されている。
【００５４】
前面部２３０には、ネジ穴２１０が形成されている。ネジ穴２１０は、前面部２３０を前面部２３０の厚さ方向に貫通するように形成されている。前面部２３０の背面側には、ネジ穴２１０の周囲にバーリング２２０（突出部）が後方に突出するように形成されている。ネジ穴２１０は、バーリング２２０の内部に延長して形成されている。
【００５５】
このような前面部２３０の構造により、タッチパネル１０が接する前面部２３０にバーリング２２０を設ける必要がない。このため、前面部２３０におけるタッチパネル１０の貼り付け面の平滑性を保つことができる。また、ネジ穴２１０がバーリング２２０の内部に延長して形成されているため、ネジ穴２１０の長さが長くなり、ベース部２０と筐体６０とを頑丈に固定することができる。これにより、ネジ６４０の締結力を高めるためにナットなどの別部材を用いなくてもよいため、コストダウンを実現することができる。
【００５６】
接続部２５０は、ベース部２０の側面部２４０と表示パネル３０とを接続している。これにより、表示パネル３０は、ベース部２０に固定される。表示パネル３０は、接続部２５０にネジ（図示せず）によって固定されている。接続部２５０は、例えば、側面部２４０の一部を切り出して内側に折り曲げることによって形成されている。しかしながら、接続部２５０の構造は、当該構造に限定されず、表示パネル３０を側面部２４０に固定することができれば、どのような構造であってもよい。また、ベース部２０は、断面の形状がＬ字型になるように折り曲げて形成された側面部２４０に表示パネル３０を固定させることができる。これにより、表示パネル３０を固定するための専用の部品が必要になることがない。よって、表示器１の部品点数を減らすことができる。
【００５７】
（ガスケットの構造）
次に、ガスケット４０の構造について、図８に基づいて説明する。図８は、ガスケットの構造を示す断面図である。
【００５８】
ガスケット４０は、図８に示すように、外周凸部４１０、内周凸部４２０、前面凸部４３０（ベース側凸部）、背面凸部４４０（筐体側凸部）、前面溝部４５０（ベース側溝部）、及び背面溝部４６０（筐体側溝部）を有する。
【００５９】
ガスケット４０は、全体の形状がベース部２０の外形に沿うような方形の輪形状となり、かつ、断面の形状がＬ字型になるように形成されている。ガスケット４０における外周側の縁の部分（ガスケット４０の断面において、前面側を向く端部）は、外周凸部４１０と内周凸部４２０とに分岐して、断面がＹ字形状をなしている。ガスケット４０における内周側（開口部分）の縁の部分の付近には、前面凸部４３０及び背面凸部４４０が設けられている。前面凸部４３０は、ガスケット４０の前面側に、端部が内周凸部４２０を向くようにガスケット４０の前面に対して傾斜して形成されている。背面凸部４４０は、ガスケット４０の背面側に、内周凸部４２０と概ね逆方向を向くようにガスケット４０の背面に対して傾斜して形成されている。
【００６０】
前面溝部４５０は、ガスケット４０の前面側における前面凸部４３０の外周側に形成されている。背面溝部４６０は、ガスケット４０の背面側における背面凸部４４０の外周側に形成されている。これにより、ガスケット４０がベース部２０と筐体６０との間に挟まれた状態では、前面凸部４３０は前面溝部４５０に入り込み、背面凸部４４０は背面溝部４６０に入り込む。
【００６１】
（ベース部と筐体との組み立て方法）
次に、ベース部２０と筐体６０との組み立て方法について、図９に基づいて説明する。図９は、ベース部２０と筐体６０との組み立てを示す図である。図９の（ａ）は、ベース部２０とガスケット４０と筐体６０とが組み合わされる前の状態を示す断面図である。図９の（ｂ）は、ベース部２０にガスケット４０が取り付けられている状態を示す断面図である。図９の（ｃ）は、筐体６０にガスケット４０を介してベース部２０が取り付けられている状態を示す断面図である。
【００６２】
図９の（ａ）に示すように、まず、ガスケット４０を、ベース部２０の周囲に挿入して、図９の（ｂ）に示すように、ベース部２０の外周部に嵌め込む。このとき、ガスケット４０を、前面部２３０の背面側に接するように押し込む。この状態では、ガスケット４０がベース部２０の周囲に均一に配置されている。また、この状態では、ベース部２０の外端２８０が、ガスケット４０の内周壁面における内周凸部４２０の内壁面よりも後方の部分に接している。また、この状態では、ガスケット４０の内周凸部４２０が、タッチパネル１０の外端１３０によって外側に押し広げられているので、その弾性によって、ガスケット４０の内側への反発力を生じる。この反発力によって、ガスケット４０がベース部２０から脱落することを防ぐことができる。また、ベース部２０にはガスケット４０を保持するための構造を設けてもよい。例えば、ベース部２０にはガスケット４０が入り込む隙間を設けてもよい。
【００６３】
次に、図９の（ｃ）に示すように、ガスケット４０が嵌め込まれたベース部２０を筐体６０に取り付ける。具体的には、ガスケット４０の外周部分が筐体６０のフランジ部６５０の前面側における内周面と接するように、ベース部２０を筐体６０に配置する。次に、ネジ６４０を、側面凹部６８０側から貫通穴６２０に挿入して、ベース部２０のネジ穴２１０に締め付ける。ネジ６４０を締めていくときに突出端部６３１がベース部２０に当たることでネジ６４０の締め過ぎによるタッチパネル１０やベース部２０の変形または破損を防ぐことができる。また、ベース部２０から筐体６０に向かう方向においてベース部２０が適切な位置に配置される。このようにして、ベース部２０は筐体６０の前面側に固定される。
【００６４】
ベース部２０は、筐体６０の背面側から挿入されたネジ６４０が締め付けられることによって筐体６０の前面側に固定されている。このため、タッチパネル１０の前面にカバーシートが貼り付けられている場合、表示器１の組み立て作業時に生じた前述のような不備の修正、調整等を行なうとき、あるいは、表示器１のメンテナンスを行うとき、ネジ６４０をベース部２０から取り外すことにより、タッチパネル１０からカバーシートをはがすことなく、筐体６０からベース部２０を取り外すことができる。よって、ネジ６４０を外すだけで、修正・調整等や表示器１の内部のメンテナンスが可能になるため、表示器１の修正・調整等やメンテナンスが容易になる。さらに、カバーシートをはがさずに済むため、メンテナンスや製造工程のやり直し等により、新たなカバーシートを用意することによる費用が不要になる。したがって、表示器１のメンテナンスコスト（カバーシートの廃棄に掛かるコスト）の削減、及び高いメンテナンス性の実現により、表示器１が長期に亘って使用されることを可能にすることができる。
【００６５】
ベース部２０が筐体６０に固定された状態では、ガスケット４０の外周凸部４１０及び内周凸部４２０は、タッチパネル１０の外端１３０とフランジ部６５０の外周壁部６７０との間に挟まれる。この状態では、外周凸部４１０及び内周凸部４２０は、それぞれの反発力により、タッチパネル１０を筐体６０の中心に押し戻そうとする。これにより、タッチパネル１０は、筐体６０の中心方向へ位置決めされる。それゆえ、タッチパネル１０を、ベース部２０を介して筐体６０に取り付けるときに、タッチパネル１０を筐体６０の中心に配置することができる。したがって、表示器１の意匠性を高めることができる。また、外周凸部４１０及び内周凸部４２０による反発力、並びに外周凸部４１０及び内周凸部４２０がタッチパネル１０及び筐体６０に線または面で接触することにより、タッチパネル１０とガスケット４０との間、及び筐体６０とガスケット４０との間の密着性が高まる。よって、表示器１の防水性能が高まる。
【００６６】
また、前面凸部４３０及び背面凸部４４０は、ベース部２０の前面部２３０の背面側と筐体６０のフランジ部６５０における外縁部６６０との間に挟まれる。この状態では、前面凸部４３０は前面溝部４５０に入り込み、背面凸部４４０は背面溝部４６０に入り込む。これにより、ベース部２０及び筐体６０に過剰な反発力が加わることを防ぐ。したがって、ベース部２０とガスケット４０との間、及び筐体６０とガスケット４０との間に生じる過剰な反発力を抑えることができる。よって、タッチパネル１０、ベース部２０及び筐体６０が変形すること、または破損することを防ぐことができる。また、前面凸部４３０及び背面凸部４４０による反発力、並びに前面凸部４３０の先端がベース部２０に、背面凸部４４０の先端が筐体６０に線で接触することにより、ベース部２０とガスケット４０との間、及び筐体６０とガスケット４０との間の密着性が高まる。よって、表示器１の防水性能が高まる。
【００６７】
ガスケット４０の外周凸部４１０及び内周凸部４２０は、互いに反対方向に広がっている。このため、ガスケット４０が嵌め込まれたベース部２０を筐体６０に配置するとき、ベース部２０をフランジ部６５０内に挿入していくと、外周凸部４１０が外周壁部６７０に当たりながら内側に押さえ込まれる。これにより、ガスケット４０を容易に筐体６０に配置することができる。
【００６８】
また、ガスケット４０をベース部２０に嵌め込むときと、ベース部２０を筐体６０に配置するときとで、ガスケット４０にパウダーを散布してもよい。これにより、ガスケット４０の嵌め込み作業、及びベース部２０の筐体６０への配置作業をし易くすることができる。
【００６９】
〔実施形態２〕
本発明の他の実施形態について、図１０に基づいて説明すれば、以下のとおりである。なお、説明の便宜上、前記実施形態にて説明した部材と同じ機能を有する部材については、同じ符号を付記し、その説明を省略する。図１０は、本発明の実施形態２に係る表示器２のベース部２０と筐体６０との間の構造を示す断面図である。
【００７０】
表示器２は表示器１と比べて以下の点が異なる。つまり、表示器２は表示器１と比べて、図１０に示すように、タッチパネル７０が表示パネル３０またはベース部２０に固定されている点、及びカバーシート１２０がベース部２０の前面部２３０に貼り付けられている点が異なる。
【００７１】
タッチパネル７０は、両面テープ７１０によって表示パネル３０またはベース部２０に貼り付けられている。両面テープ７１０は、タッチパネル７０と表示パネル３０とを接着させる、またはタッチパネル７０とベース部２０とを接着させるためのものである。また、タッチパネル７０の前面はベース部２０の前面部２３０より後方にある。カバーシート１２０は、タッチパネル７０の前面を覆っており、ベース部２０の前面部２３０に貼り付けられている。なお、図１０ではタッチパネル７０をベース部２０に貼り付ける構造は図示しないが、Ｌ字型の断面形状を有するベース部２０をタッチパネル１０の背面側に配置することで、タッチパネル７０をベース部２０に貼り付けてもよい。
【００７２】
上記の構成によれば、ガスケット４０は、外周壁部６７０とベース部２０の外端２８０との間に外周凸部４１０と内周凸部４２０とを有するため、外周凸部４１０及び内周凸部４２０による反発力により、ベース部２０は筐体６０の中心にガイドされる。これにより、ベース部２０を筐体６０に取り付けるときに、ベース部２０を筐体６０の中心に配置することができる。したがって、表示器２の意匠性を高めることができる。また、外周凸部４１０及び内周凸部４２０による反発力、並びに外周凸部４１０及び内周凸部４２０がベース部２０及び筐体６０に線または面で接触することにより、ベース部２０とガスケット４０との間、及び筐体６０とガスケット４０との間の密着性が高まる。よって、表示器２の防水性能が高まる。
【００７３】
また、筐体６０の前面側から背面側に向かう方向において、タッチパネル７０とベース部２０とが重ならない。よって、表示器２の厚みを小さくすることができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７５】
１、２  表示器
１０、７０  タッチパネル
２０  ベース部
３０  表示パネル
４０  ガスケット
６０  筐体
１３０  外端
２１０  ネジ穴
２２０  バーリング
２８０  外端
４１０  外周凸部
４２０  内周凸部
４３０  前面凸部（ベース側凸部）
４４０  背面凸部（筐体側凸部）
４５０  前面溝部（ベース側溝部）
４６０  背面溝部（筐体側溝部）
６１０  凹部
６１２  側壁部
６２０  貫通穴
６３０  ネジ保持部
６３１  突出端部
６４０  ネジ
６５０  フランジ部
６７０  外周壁部
【図１】
2018097149.tif 000003
【図２】
2018097149.tif 000004
【図３】
2018097149.tif 000005
【図４】
2018097149.tif 000006
【図５】
2018097149.tif 000007
【図６】
2018097149.tif 000008
【図７】
2018097149.tif 000009
【図８】
2018097149.tif 000010
【図９】
2018097149.tif 000011
【図１０】
2018097149.tif 000012